(57)【要約】【課題】需要家のエネルギー利用が基準値を越える前に抑制でき、エネルギー制御に需要家の要求や生活環境に応じて設定する優先度で行う。【解決手段】エネルギー管理装置２００は、通信ネットワーク３００を介して各エネルギー監視制御装置１００へ、エネルギー利用を抑制するためのエネルギー利用抑制情報を定期的に作成して送信する。  エネルギー管理装置は、前記エネルギー監視制御装置から受信したエネルギー利用データおよびエネルギー関連データを基に、需要家におけるエネルギー制御を必要とするときにエネルギー監視制御装置へエネルギー制御指令を送信する。エネルギー監視制御装置は、各エネルギー機器に対して設定するエネルギー制御の優先度の順にエネルギー制御を行い、エネルギー制御指令とおりのエネルギー制御が実行できるまで行う。【選択図】  図１
2005341646.tif 000002
【特許請求の範囲】
【請求項１】
各種エネルギー機器を設備するビルや住宅などにおける各需要家の利用エネルギーを管理センターで集中管理する省エネルギーシステムであって、
前記管理センターにエネルギー管理装置を設け、前記需要家に個々にエネルギー監視制御装置を設け、エネルギー管理装置と各エネルギー監視制御装置は通信ネットワークを介した情報通信手段を設け、
前記各エネルギー監視制御装置は、各種エネルギー機器が消費したエネルギー利用データおよびエネルギー消費に関連するエネルギー関連データからなるエネルギー利用・関連データを収集・蓄積するエネルギー利用関連データ収集・蓄積手段と、前記エネルギー利用・関連データを表示および前記エネルギー管理装置から受信したエネルギー利用抑制情報を表示するインタフェース手段とを設け、
前記エネルギー管理装置は、各需要家におけるエネルギー利用を抑制するためのエネルギー利用抑制情報を定期的に作成して前記エネルギー監視制御装置へ送信する手段を設けたことを特徴とする省エネルギーシステム。
【請求項２】
前記エネルギー管理装置は、前記エネルギー監視制御装置から受信したエネルギー利用・関連データと、自装置内で蓄積する過去データから予測したエネルギー利用・関連データおよび各エネルギー監視制御装置間でグループ管理したエネルギー利用・関連データを基に、需要家におけるエネルギー制御を必要とするときに前記エネルギー監視制御装置へエネルギー制御指令を送信するエネルギー制御指令送信手段を設け、
前記エネルギー監視制御装置は、前記各エネルギー機器に対して前記インタフェースで予め設定されたエネルギー制御の優先度を管理する手段と、前記エネルギー管理装置からエネルギー制御指令を受信したときに前記優先度の順にエネルギー機器のエネルギー制御を行い、エネルギー制御指令とおりのエネルギー制御が実行できるまで行うエネルギー制御手段とを備えたことを特徴とする請求項１に記載の省エネルギーシステム。
【請求項３】
前記エネルギー利用抑制情報は、エネルギー管理装置の担当者による手動入力とする入力方式またはネットワークを介して自動収集する入力方式、のいずれか一方または両方の方式で収集することを特徴とする請求項１または２に記載の省エネルギーシステム。
【請求項４】
前記エネルギー利用抑制情報は、外部情報源から得られるエネルギー利用抑制情報用外部データまたはそのデータを加工したデータ、前記エネルギー監視制御装置より送信されたエネルギー関連データまたはそのデータを加工したデータ、前記エネルギー監視制御装置より送信されたエネルギー利用データを基に予測されたデータ、のいずれか１つ、またはこれらの組み合わせを基にして作成することを特徴とする請求項１〜３のいずれか１項に記載の省エネルギーシステム。
【請求項５】
前記各エネルギー機器のエネルギー制御は、エネルギー機器の動作を完全に停止するＯＦＦ制御方式、またはエネルギー機器の動作を連続的に調節する制御方式、のいずれか一方または両方の方式で行うことを特徴とする請求項１〜４のいずれか１項に記載の省エネルギーシステム。
【請求項６】
前記エネルギー監視制御装置は、
自装置内で収集したエネルギー利用・関連データと、自装置内で蓄積する過去データから予測したエネルギー利用・関連データおよび他のエネルギー監視制御装置間でグループ管理したエネルギー利用・関連データを基に、当該需要家におけるエネルギー制御を必要とするときにエネルギー制御指令を出力するエネルギー制御指令出力手段と、
前記各エネルギー機器に対して前記インタフェースで予め設定されたエネルギー制御の優先度を管理する手段と、
前記エネルギー制御指令出力手段がエネルギー制御指令を出力したときに前記優先度の順にエネルギー機器のエネルギー制御を行い、エネルギー制御指令とおりのエネルギー制御が実行できるまで行うエネルギー制御手段とを備えたことを特徴とする請求項１〜５のいずれか１項に記載の省エネルギーシステム。
【請求項７】
前記エネルギー管理装置またはエネルギー監視制御装置におけるエネルギー制御の要否を判定する基準値は、エネルギー利用の最大値を基に定めた基準値、またはエネルギー年間使用予測値を基に定めた基準値とすることを特徴とする請求項２または請求項６に記載の省エネルギーシステム。
【発明の詳細な説明】
【技術分野】
【０００１】
本発明は、ビルや住宅などの各需要家の利用エネルギーを管理センターで集中管理することで省エネルギーを実現する省エネルギーシステムに係り、特にビルや住宅に設置されて省エネルギーのための監視制御をするエネルギー監視制御装置に関する。
【背景技術】
【０００２】
電力、ガス、水道等の公共エネルギー供給元は、各種プラントや製造設備、交通機関に供給するエネルギーと、ビルや住宅に供給するエネルギーを併せたエネルギーを間断なく供給できることが義務付けられる。このため、エネルギー供給元は、予想される最大エネルギー需要量を見越したエネルギー供給設備を確保しようとしているが、近年では日時、季節、天候によってはエネルギー需要量が一時的にエネルギー供給余力を越えることが予測され、省エネルギーが緊急課題となってきている。また、地球温暖化の防止の上でも省エネルギーが要望されてきている。
【０００３】
省エネルギーについて、各種プラント等のエネルギーの大口需要家ではその設備全体や設備単位での各種の対策、改善によって省エネルギーを推進している。一方、ビルや住宅で省エネルギーを図るには、エアコンディショナなどの電気設備の運転時間の削減や温度設定値の調整、テレビや照明設備の消し忘れ防止、ガス・水道設備でのガス・水道使用量の削減などで対応できる。
【０００４】
しかし、ビルや住宅における省エネルギー対策は、居住者によるエネルギー利用機器の小まめな調整、操作を必要とし、しかもこれら調整、操作は省エネルギーが必要となる時期、時間帯も考慮して行う必要があり、的確で効果的に行うのが困難となる。
【０００５】
このような事情から、ビルや住宅の利用エネルギーを管理センターの集中管理で省エネルギーを効果的に行うための省エネルギーシステムが提案されている（例えば、特許文献１、特許文献２、特許文献３参照）。
【０００６】
特許文献１では、電力会社に設備するエネルギー管理センターで電力供給地域内の総電力量を監視し、この総電力量が基準値を越えた場合に、管理センターからビルや住宅に個々に設けた監視装置に通信ネットワークを介して節約メッセージを送信する機能構成としている。監視装置には、消費電力をトレンドデータとして記憶する電力モニタ機能や、管理センターがトレンドデータを受信することによって電力料金を決定するための電力量送信機能も設けている。
【０００７】
特許文献２では、オフィスビル単位でその消費電力を計測データとしてエネルギー管理センターに収集し、さらに各オフィスビルの消費電力履歴パターンと現在の天候などに基づいて総需要電力を予測し、この総需要電力によって各オフィスビルの消費電力制御を指令するシステムとしている。
【０００８】
特許文献３では、電力線を通信線としてサービスセンタと各建物との間でネットワーク接続を得、電気利用状態を遠隔地で確認および建物内の配電機器に対する遠隔地からの制御を可能としている。
【特許文献１】特開２００２−１３３５６８号公報
【特許文献２】特開２００２−２０９３３５号公報
【特許文献３】特開２００４−２３９６６号公報
【発明の開示】
【発明が解決しようとする課題】
【０００９】
（課題１）
特許文献１の省エネルギーシステムでは、エネルギー管理装置で収集した利用エネルギー量が設定された基準値以上の場合にのみ、エネルギー制御指令をエネルギー監視制御装置に送信する。この場合、利用エネルギー量が基準値以上となるまで利用エネルギーの抑制ができず、一定値以上の省エネルギー効果が得られない。
【００１０】
同様に、特許文献２では、総需要電力を予測した消費電力制御指令を送信することで早めのエネルギー抑制ができるが、この予測消費電力が基準値以上となるまで利用エネルギーの制御ができない。
【００１１】
（課題２）
特許文献１〜３のエネルギー制御方式では、エネルギー監視制御装置がエネルギー制御指令を受信した場合、以下の操作または制御を得ることになる。
【００１２】
（ａ）人手を介して不要エネルギー機器を停止させる。
【００１３】
（ｂ）開閉器等のエネルギースイッチを自動的に切ることによりエネルギー機器を強制的に停止させる。
【００１４】
上記の（ａ）の場合、利用エネルギーが基準値を超えているにもかかわらず、利用エネルギー削減を人手に委ねるため、確実な制御効果を期待できない。一方、（ｂ）の場合、エネルギー機器を自動で強制的に停止するため、エネルギー利用機器の利用者に対して不便さ、および支障をきたす。
【００１５】
本発明の目的は、上記の課題を解決した省エネルギーシステムを提供することにある。
【課題を解決するための手段】
【００１６】
本発明は、エネルギー管理装置側で天気予報などを基にして定期的に作成したエネルギー利用抑制情報を需要家側のエネルギー監視制御装置に送信することで需要家によりエネルギー利用抑制を促進する。また、ビル・住宅などの需要家のエネルギー利用・関連情報をエネルギー監視制御装置により個々に収集してエネルギー管理装置に送信し、エネルギー管理装置はエネルギー利用・関連情報を基にしたエネルギー制御指令をエネルギー監視制御装置に送信し、エネルギー監視制御装置では需要家がエネルギー制御対象機器に優先度を設定しておき、エネルギー制御指令が与えられたときに優先度に応じて順次エネルギー制御を行う。これら機能構成により、本発明は、前記の課題を解決するもので、以下の構成を特徴とする。
【００１７】
（１）各種エネルギー機器を設備するビルや住宅などにおける各需要家の利用エネルギーを管理センターで集中管理する省エネルギーシステムであって、
前記管理センターにエネルギー管理装置を設け、前記需要家に個々にエネルギー監視制御装置を設け、エネルギー管理装置と各エネルギー監視制御装置は通信ネットワークを介した情報通信手段を設け、
前記各エネルギー監視制御装置は、各種エネルギー機器が消費したエネルギー利用データおよびエネルギー消費に関連するエネルギー関連データからなるエネルギー利用・関連データを収集・蓄積するエネルギー利用関連データ収集・蓄積手段と、前記エネルギー利用・関連データを表示および前記エネルギー管理装置から受信したエネルギー利用抑制情報を表示するインタフェース手段とを設け、
前記エネルギー管理装置は、各需要家におけるエネルギー利用を抑制するためのエネルギー利用抑制情報を定期的に作成して前記エネルギー監視制御装置へ送信する手段を設けたことを特徴とする。
【００１８】
（２）前記エネルギー管理装置は、前記エネルギー監視制御装置から受信したエネルギー利用・関連データと、自装置内で蓄積する過去データから予測したエネルギー利用・関連データおよび各エネルギー監視制御装置間でグループ管理したエネルギー利用・関連データを基に、需要家におけるエネルギー制御を必要とするときに前記エネルギー監視制御装置へエネルギー制御指令を送信するエネルギー制御指令送信手段を設け、
前記エネルギー監視制御装置は、前記各エネルギー機器に対して前記インタフェースで予め設定されたエネルギー制御の優先度を管理する手段と、前記エネルギー管理装置からエネルギー制御指令を受信したときに前記優先度の順にエネルギー機器のエネルギー制御を行い、エネルギー制御指令とおりのエネルギー制御が実行できるまで行うエネルギー制御手段とを備えたことを特徴とする。
【００１９】
（３）前記エネルギー利用抑制情報は、エネルギー管理装置の担当者による手動入力とする入力方式またはネットワークを介して自動収集する入力方式、のいずれか一方または両方の方式で収集することを特徴とする。
【００２０】
（４）前記エネルギー利用抑制情報は、外部情報源から得られるエネルギー利用抑制情報用外部データまたはそのデータを加工したデータ、前記エネルギー監視制御装置より送信されたエネルギー関連データまたはそのデータを加工したデータ、前記エネルギー監視制御装置より送信されたエネルギー利用データを基に予測されたデータ、のいずれか１つ、またはこれらの組み合わせを基にして作成することを特徴とする。
【００２１】
（５）前記各エネルギー機器のエネルギー制御は、エネルギー機器の動作を完全に停止するＯＦＦ制御方式、またはエネルギー機器の動作を連続的に調節する制御方式、のいずれか一方または両方の方式で行うことを特徴とする。
【００２２】
（６）前記エネルギー監視制御装置は、
自装置内で収集したエネルギー利用・関連データと、自装置内で蓄積する過去データから予測したエネルギー利用・関連データおよび他のエネルギー監視制御装置間でグループ管理したエネルギー利用・関連データを基に、当該需要家におけるエネルギー制御を必要とするときにエネルギー制御指令を出力するエネルギー制御指令出力手段と、
前記各エネルギー機器に対して前記インタフェースで予め設定されたエネルギー制御の優先度を管理する手段と、
前記エネルギー制御指令出力手段がエネルギー制御指令を出力したときに前記優先度の順にエネルギー機器のエネルギー制御を行い、エネルギー制御指令とおりのエネルギー制御が実行できるまで行うエネルギー制御手段とを備えたことを特徴とする。
【００２３】
（７）前記エネルギー管理装置またはエネルギー監視制御装置におけるエネルギー制御の要否を判定する基準値は、エネルギー利用の最大値を基に定めた基準値、またはエネルギー年間使用予測値を基に定めた基準値とすることを特徴とする。
【発明の効果】
【００２４】
以上のとおり、本発明によれば、エネルギー管理装置側で定期的に作成したエネルギー利用抑制情報をエネルギー監視制御装置に送信するため、需要家側によるエネルギー利用抑制を促進、つまり利用エネルギー消費量を予め意識的に抑え、利用エネルギー量が極力基準値以下となるようにすることができる。また、利用エネルギー量が基準値以上となる前にエネルギー抑制ができ、省エネルギー効果を高めることができる。
【００２５】
また、エネルギー監視制御装置によりエネルギー利用・関連データを個々に収集してエネルギー管理装置に送信し、エネルギー管理装置はエネルギー利用・関連データを基にしたエネルギー制御指令をエネルギー監視制御装置に送信し、エネルギー監視制御装置ではエネルギー制御対象機器に設定した優先度に応じて順次エネルギー制御を行うため、エネルギー制御には需要家の操作、判断を不要にして自動的に行うことができ、しかも需要家の要求や生活環境に合わせてエネルギー機器の制御を行うことができる。
【００２６】
また、エネルギー監視制御装置は、各種エネルギー機器のエネルギー利用データの他に、ビルや住宅に対する外環境データ、購買エネルギーデータ、建物内のエネルギー利用必要性データなどのエネルギー関連データを収集し、エネルギー管理装置ではこれらエネルギー利用・関連データおよび過去の蓄積データからの予測データやグループ管理エネルギーデータを考慮したエネルギー管理をすることで、従来の利用エネルギーデータのみによるエネルギー管理に比べて、居住者に最適なエネルギー制御を提供しながら、省エネルギー効果を一層高めることができる。
【００２７】
また、エネルギー監視制御装置は自立したエネルギー制御を可能にすることにより、エネルギー管理装置との通信ネットワーク接続が不可能、または困難な場合にも省エネルギー制御機能を確保できる。
【００２８】
また、エネルギー管理装置またはエネルギー監視制御装置におけるエネルギー制御の要否を判定する基準値は、エネルギー年間使用予測値を基に定めた基準値を設けることにより、年間エネルギー消費量を抑制することを目標としたエネルギー制御ができる。
【発明を実施するための最良の形態】
【００２９】
図１は、本発明の実施形態を示す省エネルギーシステムの全体構成図である。本システムは、省エエネルギー対象となる地域のビルや住宅Ａ，Ｂ，…，Ｎに個々に設置されるエネルギー監視制御装置１００及び、エネルギー供給元など、システムの管理センタに設置されるエネルギー管理装置２００から構成され、エネルギー監視制御装置１００とエネルギー管理装置２００は無線方式または有線方式の通信回線（公衆回線または専用回線）３００を利用して省エネルギーに関する各種情報の送受信機能を搭載する。
【００３０】
コンピュータとその入出力装置で構成するエネルギー監視制御装置１００は、少なくとも、エネルギー利用抑制情報取得・表示機能と優先度付きエネルギー制御機能をソフトウェア構成で備える。
【００３１】
コンピュータとその入出力装置で構成するエネルギー管理装置２００は、各エネルギー監視制御装置１００とは省エネに関するエネルギー利用抑制情報を送受信して、ビルや住宅単位にそれらが利用するエネルギーを一元管理するエネルギー利用抑制機能をソフトウェア構成で備える。
【００３２】
以下、エネルギー監視制御装置１００およびエネルギー管理装置２００の機能構成の詳細を、電力エネルギーを省エネルギー対象とする場合で説明する。なお、ガス、水道の一方または両方を省エネルギー対象として含める場合も同様の機能構成で実現される。
【００３３】
（１００）エネルギー監視制御装置
図２にエネルギー監視制御装置の機能ブロック図を示す。データ収集部１０１は、ビル単位や住宅単位で設置される各種エネルギー利用機器（エアコン、照明機器、テレビなど）ＥＤで現在利用中の電力エネルギーのデータをエネルギー消費データ収集部１０１Ａで収集する。このデータ収集には、例えば、屋内の分岐ブレーカ別にそれぞれ設けた電流計の計測値をディジタルデータとして取り込む。また、データ収集部１０１のエネルギー関連データ収集部１０１Ｂは、エネルギー利用に関連するエネルギー関連データを収集する。このエネルギー関連データは、ビルや住宅に対する外環境データ（気温、湿度、日射量、照度などの建物負荷に関連するデータ）、購買エネルギーデータ（建物で購買しているエネルギーの単価情報や自然エネルギー調達割合、ＣＯ2原単位など）、建物内のエネルギー利用必要性データ（建物内の各部屋の使用状態など）などの各種センサーデータになる。
【００３４】
データ蓄積部１０２は、データ収集部１０１が収集したエネルギー利用・関連データを時間単位、日単位、１週間単位、１カ月単位など一定期間別に蓄積する。
【００３５】
通信部１０３は、接続された通信回線３００を介し、エネルギー管理装置２００との間で省エネルギーのための情報通信をする。この通信部１０３にはデータ送信部１０３Ａ、エネルギー制御指令受信部１０３Ｂ、エネルギー利用抑制情報受信部１０３Ｃを備える。
【００３６】
データ送信部１０３Ａは、データ蓄積部１０２で管理されているエネルギー利用・関連データを指定された外部装置(本実施形態ではエネルギー管理装置２００が該当する)に必要とする都度、送信する。エネルギー制御指令受信部１０３Ｂは、指定された外部装置（本実施形態ではエネルギー管理装置２００が該当する）より送信される、エネルギー制御のためのエネルギー制御指令を受信する。
【００３７】
エネルギー制御優先度管理部１０４は、エネルギー制御指令受信部１０３が受信したエネルギー制御指令が入力された場合、エアコンや照明といった各エネルギー機器ＥＤのうち、どのエネルギー機器を優先的に制御してよいかを決定する制御優先度情報を管理する。制御優先度情報は、ビル管理者や住宅の居住者等のエネルギー利用者（需要家）が予め登録しておく。
【００３８】
エネルギー制御部１０５は、受信部１０３Ｂがエネルギー制御指令を受信し、このエネルギー制御指令に対してエネルギー制御優先度管理部１０４が管理・決定した優先度を基に、エアコンや照明といったエネルギー利用機器ＥＤのうち高い優先度の機器から順にエネルギー抑制の制御する。この制御には、当該エネルギー利用機器の電源しゃ断やエアコンの温度設定値の調節などを行う。
【００３９】
エネルギー利用抑制情報受信部１０３Ｃは、指定された外部装置（本実施形態ではエネルギー管理装置２００が該当する）より送信された、利用エネルギーを予め抑制するためのエネルギー利用抑制情報を受信し、受信したエネルギー利用抑制情報を需要家インタフェース１０６へ渡す。
【００４０】
需要家インタフェース１０６は、需要家からの情報入力装置／需要家への情報表示用画面をもつマンマシンインタフェースである。入力する情報には制御優先度情報、表示する情報には収集したエネルギー利用関連データやエネルギー利用抑制情報、エネルギー制御指令の内容や制御状態等がある。
【００４１】
（２００）エネルギー管理装置
図３にエネルギー管理装置の機能ブロック図を示す。通信部２０１は、接続された通信回線を介し、エネルギー監視制御装置１００との間でエネルギー抑制のための情報通信をする。通信部２０１は、少なくとも、データ受信部２０１Ａ、エネルギー制御指令送信部２０１Ｂ、エネルギー利用抑制情報送信部２０１Ｃ、エネルギー利用抑制情報用外部データ収集部２０１Ｄを備える。
【００４２】
データ蓄積部２０２は、データ受信部２０１Ａが各エネルギー監視制御装置１００から受信したエネルギー利用・関連データを収集・蓄積する。蓄積データ加工部２０５は、データ蓄積部２０２が蓄積する過去データから予測したエネルギー利用・関連データ、および各エネルギー監視制御装置間のエネルギー利用・関連データを一元管理することにより、互いのデータの有効利用が実現できるグループ管理したエネルギー利用・関連データを生成してデータ蓄積部２０２に蓄積する。これらデータ蓄積部２０２に蓄積するデータおよび蓄積データ加工部２０５が加工したデータは、エネルギー利用抑制管理およびエネルギー制御管理に利用する。
【００４３】
エネルギー利用抑制情報用外部データ収集部２０１Ｄはエネルギー利用抑制に利用できる外部情報（気象情報など）を手動設定または自動で取得する。エネルギー利用抑制情報管理部２０３は、エネルギー利用抑制情報用外部データ収集部２０１Ｄで収集したエネルギー利用抑制に必要な各種情報を登録しておき、この情報およびデータ蓄積部２０２が蓄積したエネルギー利用・関連データ、蓄積データ加工部２０５が加工したデータを基に、エネルギー利用抑制情報を生成し、これをエネルギー利用抑制情報送信部２０１Ｃを介して各エネルギー監視制御装置１００に送信するための管理を行う。
【００４４】
エネルギー制御指令管理部２０４は、各エネルギー監視制御装置１００から収集し、データ蓄積部２０２に蓄積した利用エネルギーおよび加工部２０５で加工して管理するデータを基に利用エネルギー制御の要否を判定する。例えば、利用エネルギー情報の総和と基準値との大小比較、または利用エネルギー情報の総和の履歴情報から予測した利用エネルギー情報と基準値との大小比較により、利用エネルギーの制御の要否を判定する。基準値としては、最大値に基づく基準値を採用することが可能なのはもとより、エネルギー年間使用予測値を考慮した基準値等も採用することができる。この年間使用予測値を基準値とすることにより、年間エネルギー消費量を抑制するこを目標としたエネルギー制御指令が実現可能となる。
【００４５】
エネルギー制御指令管理部２０４は、利用エネルギー制御を必要と判定したときに、エネルギー制御指令送信部２０１Ｂを介して各エネルギー監視制御装置１００へエネルギー制御指令を送信するための情報管理を行う。
【００４６】
以上の構成になる上記エネルギー監視制御装置１００及び、エネルギー管理装置２００による省エネルギー処理を以下に詳細に説明する。
【００４７】
（１）エネルギーデータ（エネルギー利用・関連データ）の収集
本実施形態では、各ビルや住宅で利用されているエネルギー利用・関連データをエネルギー監視制御装置１００で収集し、エネルギー管理装置２００では各エネルギー監視制御装置１００から収集したデータからエネルギーの利用状態を把握し、天気予報など外部情報を加味し、さらに蓄積データ加工部２０５が加工したデータを基に、省エネルギーのためのエネルギー利用抑制とエネルギー制御の一括管理を行う。
【００４８】
図４は、エネルギー利用・関連データの収集処理フローを示す。エネルギー監視制御装置１００では、各エネルギー機器から収集したエネルギー利用データおよび外環境データなどのエネルギー関連データを一定周期で収集し（Ｓ１）、収集したエネルギー利用・関連データをインタフェース１０６に表示し（Ｓ２）、さらにデータ蓄積部１０２に蓄積する（Ｓ３）。この蓄積したデータが例えば、１ｋＷＨなどの一定の送信データ量になる場合（Ｓ４）、データ送信部１０３Ａよりエネルギー利用・関連データをエネルギー管理装置２００へ送信する（Ｓ５）。
【００４９】
エネルギー管理装置２００では、エネルギー監視制御装置１００から送信されたエネルギー利用・関連データをデータ受信部２０１Ａで受信し（Ｓ６）、受信したエネルギー利用・関連データをデータ蓄積部２０２に蓄積する（Ｓ７）。
【００５０】
（２）エネルギー利用抑制情報の利用
従来の省エネルギー方式では、エネルギー管理装置で収集した利用エネルギー量が設定された基準値以上の場合、または予測された利用エネルギー量が基準値以上になる場合のみ、エネルギー制御指令をエネルギー監視制御装置に送信する。この場合、利用エネルギー量が基準値以上となるまで利用エネルギーの抑制ができず、一定値以上の省エネルギー効果が得られない。
【００５１】
本実施形態では、エネルギー管理装置２００でエネルギー利用抑制情報を予め設定されている作成時間間隔に従い定期的に作成し、その情報をエネルギー監視制御装置１００が定期的に受信・表示することにより、各ビルや住宅の居住者には利用エネルギー消費量の抑制を促すための情報を提供し、利用エネルギー量が極力基準値以下となるようにエネルギー抑制をする。
【００５２】
エネルギー管理装置２００における外部情報源を利用したエネルギー利用抑制情報入力手段としては、以下の２つの方式とするが、いずれか一方の方式としてもよい。
【００５３】
（ａ）マニュアル入力方式
エネルギー管理装置２００に担当者が手動で情報を入力する。この方式では、エネルギー管理装置に情報入力に対する特別な機能を設置する必要が無く構成が簡単ではあるが、情報の保守性や鮮度を保つための労力が必要となる。
【００５４】
（ｂ）自動収集方式
エネルギー管理装置２００にエネルギー利用に関する情報をＷｅｂサイトなどから自動収集する。この方式では、自動収集のため、情報の保守性や鮮度を保つための労力は必要無いが、自動収集する機能が別途必要となる。
【００５５】
エネルギー管理装置２００における外部情報源を利用したエネルギー利用抑制情報入力手段としては、エネルギー利用の抑制につながる情報なら種別・内容は特に規定しない。このエネルギー利用の抑制につながる情報としては、外部情報源から得られるデータ（エネルギー利用抑制情報用外部データ）またはそのデータを加工したデータ、エネルギー監視制御装置１００より送信されたエネルギー関連データまたはそのデータを加工したデータ、エネルギー監視制御装置より送信されたエネルギー利用データをもとに予測されたデータ、のいずれか１つ、またはこれらの組み合わせを基にしたエネルギー利用抑制の情報として使用する。
【００５６】
上記の外部情報源から得られるエネルギー関連データとしては、天気情報や気温情報があり、これら情報を基にしたエネルギー利用抑制情報の一例を以下に示す。
【００５７】
（ｃ）天気情報
エネルギー管理装置２００で天気情報を管理し、その天気情報と共に、例えばエネルギー利用の観点からの最適な洗濯日の情報「今は曇りで午後からは雨です。明日は晴れの予報なので洗濯を明日にすれば乾燥機を使う必要がありませんよ。」等をエネルギー監視制御装置１００に送信する。エネルギー監視制御装置１００では需要家インタフェース１０６にこれら情報を表示し、エネルギー利用の観点からの最適な洗濯日を需要家に通知する。
【００５８】
（ｄ）気温情報
エネルギー管理装置２００で気温情報を管理し、その気温情報と共に、例えばエネルギー利用の観点から最適なエアコンの運転方法「今何℃なので、エアコンの設定温度を上げましょう」や「今何℃なので、エアコンを停止して窓を開けましょう」等をエネルギー監視制御装置１００に送信する。エネルギー監視制御装置１００では需要家インタフェース１０６にこれら情報を表示し、エネルギー利用の観点からの最適なエアコンの運転方法を需要家に通知する。
【００５９】
また、上記のエネルギー利用抑制情報に利用するエネルギー関連データとしては、購買エネルギーデータ(建物で購買しているエネルギーの単価情報や自然エネルギー調達割合、ＣＯ2原単位等)、建物内のエネルギー利用必要性データ(建物内の各部屋の使用状態等)等がある。
【００６０】
このうち、建物内のエネルギー利用必要性データを基にしたエネルギー利用抑制情報の一例として、エネルギー監視制御装置よりエネルギー管理装置に送信されたエネルギー利用必要性データである部屋に人がいないことが明らかなのに、同じくエネルギー監視制御装置よりエネルギー監視装置に送信されたエネルギー利用データでその部屋のエネルギーが利用されている場合に、「この部屋には人が居らず利用されていないのにエネルギーが消費されています。省エネのためご確認ください。」等のエネルギー利用抑制情報を作成する。
【００６１】
また、エネルギー利用データから予測されたデータを基にしたエネルギー利用抑制情報の一例として、予測されたエネルギー消費量が一定基準よりも大きい場合に、「このままのエネルギー消費では省エネ基準を超えてしまいます。エネルギーの消費を抑えてください」等のエネルギー利用抑制情報を作成する。
【００６２】
図５は、外部情報源を基にしたエネルギー利用抑制情報の処理フローを示す。エネルギー管理装置２００では、エネルギー利用抑制情報用外部データをマニュアルまたは自動でエネルギー利用抑制情報管理部２０３に登録し、エネルギー利用抑制情報を作成する（Ｓ１１）。このうち、自動登録処理は、エネルギー利用抑制情報管理部２０３よりエネルギー利用抑制情報用外部データ収集部２０１Ｄへ情報収集を要求し（Ｓ１１Ａ）、エネルギー利用抑制情報用外部データ収集部２０１Ｄがインターネット等を利用して、エネルギー利用抑制に必要な各種情報を収集し（Ｓ１１Ｂ）、エネルギー利用抑制情報管理部２０３で収集された各種情報をエネルギー利用抑制情報に加工し、これを登録する（Ｓ１１Ｃ）。エネルギー利用抑制情報の登録で、エネルギー利用抑制情報送信部２０１Ｃよりエネルギー利用抑制情報をエネルギー監視制御装置１００へ送信する（Ｓ１２）。
【００６３】
エネルギー監視制御装置１００では、エネルギー管理装置２００からの送信されたエネルギー利用抑制情報を受信部１０３Ｃで受信し（Ｓ１３）、受信したエネルギー利用抑制情報を需要家インタフェース１０６で表示する（Ｓ１４）。
【００６４】
この外部情報を基にしたエネルギー利用抑制情報の表示によって、需要家による利用エネルギーの抑制意識を高め、さらに利用エネルギー抑制のための機器操作を促して利用エネルギーの抑制を図る。
【００６５】
図６はエネルギー利用関連データおよび加工データを基にしたエネルギー利用抑制情報の処理フローを示す。エネルギー管理装置では、エネルギー利用抑制情報用エネルギー利用関連データおよびその加工データをエネルギー利用抑制情報管理部２０３に登録し、エネルギー利用抑制情報を作成する（Ｓ１５）。エネルギー利用抑制情報の登録で、エネルギー利用抑制情報送信部２０１Ｃよりエネルギー利用抑制情報をエネルギー監視制御装置１００へ送信する（Ｓ１６）。
【００６６】
エネルギー監視制御装置１００では、エネルギー管理装置２００からの送信されたエネルギー利用抑制情報を受信部１０３Ｃで受信し（Ｓ１７）、受信したエネルギー利用抑制情報を需要家インタフェース１０６で表示する（Ｓ１８）。
【００６７】
このエネルギー利用関連データおよび加工データを基にしたエネルギー利用抑制情報の表示によって、需要家による利用エネルギーの抑制意識を高め、さらに利用エネルギー抑制のための機器操作を促して利用エネルギーの抑制を図る。
【００６８】
（３）エネルギー機器の優先度つき制御
本実施形態では、上記方式の実施にもかかわらず、エネルギー管理装置で収集した利用エネルギー量が設定された基準値以上となってしまった場合、エネルギー制御指令をエネルギー監視制御装置１００に送信する。
【００６９】
エネルギー監視制御装置１００がエネルギー制御指令を受信した場合、前記のように、（ａ）人手を介して不要エネルギー機器を停止させる、（ｂ）開閉器等エネルギースイッチを自動的に切ることによりエネルギー機器を強制的に停止させる、制御方式がある。この（ａ）の場合、利用エネルギーが基準値を超えているにもかかわらず、エネルギー削減を人手に委ねるため、確実な制御効果が期待できない。また、（ｂ）の場合、エネルギー機器を自動ではあるが強制的に停止するため、機器利用者に対して不便さまたは支障をきたす。
【００７０】
本実施形態では、エネルギー監視制御装置１００によるエネルギー制御において優先機器の選択機能を持たせ、優先度の高さに応じてエネルギー機器を制御する。
【００７１】
ビルや住宅のエネルギー利用者はエネルギー抑制制御に対する制御優先度(どのエネルギー機器を優先的に制御してよいかの情報)を予めエネルギー監視制御装置１００の管理部１０４に登録する。優先度が登録された段階で、エネルギー制御に対するエネルギー利用者の同意が得られたことになり、エネルギー監視制御装置１００でエネルギー制御を自動実行しても支障は起きない。
【００７２】
登録するエネルギー制御方式は、以下の２つの方式とするが、いずれか一方の方式としてもよい。
【００７３】
（ｅ）ＯＦＦ制御方式
エネルギー機器の動作を完全に停止する制御方式。この方式では制御回路の構成が簡単ではあるが、機器や利用者に対して優しい制御ではない
（ｆ）連続値制御方式
エネルギー機器の動作を連続的に調節する制御方式。この方式では制御回路の構成が複雑となるが、機器や利用者に対して優しい制御である
図７は、エネルギー機器の優先度付き制御の処理フローを示す。エネルギー管理装置２００では、エネルギー監視制御装置１００から受信したエネルギー利用・関連データおよびその加工データを基に、エネルギー制御指令管理部２０４でエネルギー制御指令送信の必要性を判定し（Ｓ２１）、この判定でエネルギー制御指令の送信が必要となったとき（Ｓ２２）、エネルギー制御指令管理部２０４でエネルギー制御指令を作成し（Ｓ２３）、エネルギー制御指令送信部２０１Ｂよりエネルギー監視制御装置１００へエネルギー制御指令を送信する（Ｓ２４）。
【００７４】
エネルギー監視制御装置１００では、エネルギー制御指令受信部１０３Ｂでエネルギー管理装置からのエネルギー制御指令を受信し（Ｓ２５）、まずエネルギー制御優先度Ｎを０（リセット状態）にし（Ｓ２６）、エネルギー制御優先度Ｎを１（最優先）に増加し（Ｓ２７）、エネルギー制御優先度管理部１０４より優先度Ｎのエネルギー機器、またはエネルギー制御方式を取得し、当該機器のしゃ断やエネルギー消費量削減の調節を実行する（Ｓ２８）。
【００７５】
その後、データ収集部１０１で制御後のエネルギー利用データを収集し（Ｓ２９）、エネルギー制御指令とおりのエネルギー抑制制御が実行できたか否かをチェックし（Ｓ３０）、エネルギー抑制制御ができていない場合には優先度Ｎを１増加して次に優先するエネルギー機器についてエネルギー抑制制御を実行し（Ｓ２７〜Ｓ２９）、エネルギー制御指令とおりのエネルギー抑制制御が実行できたときに制御を終了する（Ｓ３１）。
【００７６】
（４）エネルギー監視制御装置の自立エネルギー制御
前記までのエネルギー監視制御装置は、エネルギー管理装置による管理の下にエネルギー制御を行う場合を示すが、この機能をエネルギー監視制御装置に設けることもできる。
【００７７】
すなわち、エネルギー監視制御装置は、自装置内で収集したエネルギー利用・関連データと、自装置内で蓄積する過去データから予測したエネルギー利用・関連データおよび他のエネルギー監視制御装置間でグループ管理したエネルギー利用・関連データを基に、当該需要家におけるエネルギー制御を必要とするときにエネルギー制御指令を出力するエネルギー制御指令出力機能を設ける。
【００７８】
この機能を設けることにより、エネルギー管理装置との通信ネットワーク接続が不可能、または困難な場合にも省エネルギー制御機能を確保できる。
【図面の簡単な説明】
【００７９】
【図１】本発明の実施形態を示す省エネルギーシステムの全体構成図。
【図２】実施形態におけるエネルギー監視制御装置ブロック図。
【図３】実施形態におけるエネルギー管理装置機能ブロック図。
【図４】実施形態におけるエネルギー利用関連データ収集の処理フロー。
【図５】実施形態における外部情報を基にしたエネルギー利用抑制情報の処理フロー。
【図６】実施形態におけるエネルギー利用関連データおよび加工データを基にしたエネルギー利用抑制情報の処理フロー。
【図７】実施形態におけるエネルギー機器の優先度付き制御の処理フロー。
【符号の説明】
【００８０】
１００  エネルギー監視制御装置
２００  エネルギー管理装置
３００  通信ネットワーク
１０１  データ収集部
１０２  データ蓄積部
１０３  通信部
１０４  エネルギー制御優先度管理部
１０５  エネルギー制御部
２０１  通信部
２０２  データ蓄積部
２０３  エネルギー利用抑制情報管理部
２０４  エネルギー制御指令管理部
２０５  蓄積データ加工部
【図１】
2005341646.tif 000003
【図２】
2005341646.tif 000004
【図３】
2005341646.tif 000005
【図４】
2005341646.tif 000006
【図５】
2005341646.tif 000007
【図６】
2005341646.tif 000008
【図７】
2005341646.tif 000009